(57)【特許請求の範囲】
【請求項１】
建物の窓開口部の構造スリット部分の内装構造であって、
窓サッシをスリットの一方側の壁に固定し、
窓サッシの上下に配置した内装材裏当て金物を前記一方側の壁に固定し、
スリットの一方側に配置される内装材を前記裏当て金物に固定するとともに、スリットの他方側に配置される内装材を前記裏当て金物に固定しないようにしたことを特徴とする構造スリット部分の内装構造。
【請求項２】
スリットの一方側の内装材と他方側の内装材との目地部分に目地カバーを設置したことを特徴とする請求項１に記載の構造スリット部分の内装構造。
【発明の詳細な説明】
【技術分野】
【０００１】
本発明は、鉄筋コンクリート建物などの窓開口部に設けられる構造スリット部分の内装構造に関するものである。
【背景技術】
【０００２】
従来、建物躯体に設けられるスリット目地部分を内装材で遮蔽するとともに、この部分に働く変形応力に追従できるようにした内装構造が知られている（例えば、特許文献１参照）。
【０００３】
図７に示すように、特許文献１の構造は、軽量気泡コンクリート板５０、５０の間に形成した目地部５２（スリット部分）と、目地部５２に充填したバックアップ材５４とシーリング材５６とを有し、軽量気泡コンクリート板５０の表面に設けた特殊粘弾性板５８を含む接着層６０に、タイル６２（内装材）を貼り付けたものである。これにより、目地部５２に働く変形応力に追従するようになっている。
【先行技術文献】
【特許文献】
【０００４】
【特許文献１】特開平１０−６１０４０号公報
【発明の概要】
【発明が解決しようとする課題】
【０００５】
ところで、上記の従来の特許文献１の構造を窓開口部の構造スリット部分に適用する場合には、目地部の接着層に特殊粘弾性板を設ける必要があるので、作業コストや材料コストが増大するおそれがある。このため、窓開口部周りの内部壁が地震等で動いた後において、壁表面の内装材の形状保持が可能な低コストの構造の開発が望まれていた。
【０００６】
本発明は、上記に鑑みてなされたものであって、地震時に内部壁が動いても内装材の形状が保持できる低コストの構造スリット部分の内装構造を提供することを目的とする。
【課題を解決するための手段】
【０００７】
上記した課題を解決し、目的を達成するために、本発明の請求項１に係る構造スリット部分の内装構造は、建物の窓開口部の構造スリット部分の内装構造であって、窓サッシをスリットの一方側の壁に固定し、窓サッシの上下に配置した内装材裏当て金物を前記一方側の壁に固定し、スリットの一方側に配置される内装材を前記裏当て金物に固定するとともに、スリットの他方側に配置される内装材を前記裏当て金物に固定しないようにしたことを特徴とする。
【０００８】
また、本発明の請求項２に係る構造スリット部分の内装構造は、上述した請求項１において、スリットの一方側の内装材と他方側の内装材との目地部分に目地カバーを設置したことを特徴とする。
【発明の効果】
【０００９】
本発明によれば、建物の窓開口部の構造スリット部分の内装構造であって、窓サッシをスリットの一方側の壁に固定し、窓サッシの上下に配置した内装材裏当て金物を前記一方側の壁に固定し、スリットの一方側に配置される内装材を前記裏当て金物に固定するとともに、スリットの他方側に配置される内装材を前記裏当て金物に固定しないようにしたので、地震時に壁が動くと、スリットの一方側の内装材は裏当て金物を介して壁に追従して動く一方、スリットの他方側の内装材はこの壁と追従して動かない。そして、地震の揺れが収まると復元力で壁は元の位置に戻り、スリットの一方側の内装材もこの壁に追従して元の位置に戻る。これにより、スリットの一方側と他方側の双方の内装材の相対位置は元の状態に保たれる。したがって、地震時に内部壁が動いても内装材の形状が保持できるという効果を奏する。
【図面の簡単な説明】
【００１０】
【図１】図１は、本発明に係る構造スリット部分の内装構造の実施例を示す上側の平面断面図である。
【図２】図２は、本発明に係る構造スリット部分の内装構造の実施例を示す下側の平面断面図である。
【図３】図３は、本発明に係る構造スリット部分の内装構造の正面図である。
【図４】図４は、裏当て金物を示す斜視図である。
【図５】図５は、ブラケットを示す斜視図である。
【図６】図６は、目地カバーの設置状況を示す図である。
【図７】図７は、従来の内装構造の一例を示す平面断面図である。
【発明を実施するための形態】
【００１１】
以下に、本発明に係る構造スリット部分の内装構造の実施の形態を図面に基づいて詳細に説明する。なお、この実施例によりこの発明が限定されるものではない。
【００１２】
図１は、構造スリット部分の内装構造の実施例を示す上側の平面断面図、図２は下側の平面断面図、図３は正面図である。図１は、図３のＡ−Ａ線に沿った断面図、図２は、図３のＢ−Ｂ線に沿った断面図に相当する。
【００１３】
図１および図３に示すように、本発明に係る構造スリット部分の内装構造１０は、鉄筋コンクリート建物などの窓開口部２の構造スリット４部分の内装構造である。窓開口部２の側縁には窓サッシ１２が設けてある。
【００１４】
窓サッシ１２の建具額縁縦部１２ａは、スリット４内のブランケット１６を介して壁２０（スリットの一方側の壁）に固定されている。より具体的には、額縁縦部１２ａはＬ字型部材１４に接続され、このＬ字型部材１４は、略Ｌ字状のブラケット１６の切片１６ｂにアンカーボルト１８ａで固定されている。ブランケット１６の平板１６ａは、アンカーボルト１８ｂを介して壁２０の側部２０ａに固定されている。なお、ブランケット１６の周りの空間にはロックウールなどからなる耐火材２２ａが設けてあり、額縁縦部１２ａと壁２０との間はシール材２２ｂによってシールされている。また、壁２０の屋内側の内装面２０ｂの表面には、吹き付けウレタンなどからなる断熱材２２ｃが設けてある。
【００１５】
また、図２および図３に示すように、額縁縦部１２ａの上側と下側には内装材裏当て金物２４が配置してある。ただし、図３には、額縁縦部１２ａの下側の裏当て金物２４のみが示してある。スリット４内には、図２に示すように、屋外側から順に、シール材２２ｂ、ポリスチレンフォームなどからなる板状断熱材２２ｄ、ロックウールなどからなる耐火材２２ａが充填してある。また、内装面２０ｂおよびスリット４を挟んで他方側の壁３０の内装面３０ａの表面には、吹き付けウレタンなどからなる断熱材２２ｃが設けてある。なお、スリット４は、図２に示すような構造に限るものではなく、いわゆる構造スリット材等の市販製品を用いて構成してもよい。
【００１６】
裏当て金物２４は、固定部材２６ａに溶接してあり、アンカーボルト３２を介して壁２０の内装面２０ｂに固定してある。また、裏当て金物２４は、屋内側に配置した中間部材２６ｂに４本のビス２８で固定してある。なお、この裏当て金物２４は窓サッシ１２（図１および図３を参照）と溶接されるが、図１に示すように、溶接部が屋内側から見えないように予め工場溶接することが好ましい。
【００１７】
また、スリット４の一方側に配置される内装材３４は、裏当て金物２４の外面に固定された中間部材２６ｂに対して図示しない接着剤等により固定してある。一方、スリット４の他方側に配置される内装材３６は裏当て金物２４や中間部材２６ｂに固定していない。
【００１８】
裏当て金物２４は、図３および図４に示すように、溝型断面部２４ａとＬ字型断面部２４ｂとこのＬ字型断面部２４ｂに溶接されたＬ字型部材２４ｃとからなる。また、ブラケット１６は、図５の斜視図に示すように、アンカーボルトを挿入可能な長溝３８を有する平板１６ａと、長孔４０を有する切片１６ｂとからなる略Ｌ字型の部材である。
【００１９】
上記構成の動作および作用について説明する。
地震等によって壁２０が動くと、内装材３４は中間部材２６ｂおよび裏当て金物２４を介して壁２０と追従して動く。一方、内装材３６は裏当て金物２４や中間部材２６ｂに固定していないので、壁２０と追従して動かない。そして、地震等の揺れが収まると復元力で壁２０は元の位置に戻り、内装材３４もこの壁２０に追従して元の位置に戻る。これにより、双方の内装材３４、３６の相対位置は元の状態に保たれる。したがって、地震時に内部壁が動いても内装材の形状が保持できる。また、額縁縦部１２ａも壁２０の動きに追従して変位することから、壁２０への一体性が確保され、壁の破壊を招くおそれはない。
【００２０】
また、図６に示すように、内装材３４、３６の目地部分４２に目地カバー４４を設置することにより、裏当て金物２４や中間部材２６ｂを目隠しすることができる。この目地カバー４４を、可撓性樹脂やゴムなどの変形追従性を有する材料で構成すれば、地震時などに目地部分４２が多少動いてもその変形を吸収することができる。
【００２１】
以上説明したように、本発明によれば、建物の窓開口部の構造スリット部分の内装構造であって、窓サッシをスリットの一方側の壁に固定し、窓サッシの上下に配置した内装材裏当て金物を前記一方側の壁に固定し、スリットの一方側に配置される内装材を前記裏当て金物に固定するとともに、スリットの他方側に配置される内装材を前記裏当て金物に固定しないようにしたので、地震時に壁が動くと、スリットの一方側の内装材は裏当て金物を介して壁に追従して動く一方、スリットの他方側の内装材はこの壁と追従して動かない。そして、地震の揺れが収まると復元力で壁は元の位置に戻り、スリットの一方側の内装材もこの壁に追従して元の位置に戻る。これにより、スリットの一方側と他方側の双方の内装材の相対位置は元の状態に保たれる。したがって、地震時に内部壁が動いても内装材の形状が保持できる。
【産業上の利用可能性】
【００２２】
以上のように、本発明に係る構造スリット部分の内装構造は、鉄筋コンクリート建物などの構造スリット部分の内装構造に有用であり、特に、窓開口部に設けられる構造スリット部分の内装構造に適している。
【符号の説明】
【００２３】
２  窓開口部
４  構造スリット
１０  構造スリット部分の内装構造
１２  窓サッシ
２０  壁（スリットの一方側の壁）
１６  ブラケット
１８ａ，１８ｂ，３２  アンカーボルト
２４  内装材裏当て金物
３４  内装材（スリットの一方側に配置される内装材）
３６  内装材（スリットの他方側に配置される内装材）
４２  目地部分
４４  目地カバー
【図１】
0005769064.tif 000002
【図２】
0005769064.tif 000003
【図３】
0005769064.tif 000004
【図４】
0005769064.tif 000005
【図５】
0005769064.tif 000006
【図６】
0005769064.tif 000007
【図７】
0005769064.tif 000008